(57)【要約】本発明は花支持装置に関し、その目的は、花茎を支持自在であることから所望の美観への仕上げが可能であり、花茎の損傷を防ぎ、これを通じて寿命を延ばし、花茎の長さとは無関係に花を支持可能な花支持装置を提供する。本発明は、多数の回転球が伸縮性を有する連結手段により一列に配列される支持体が上下部に互い違いに配設されて支持体とこれに隣り合う他の支持体との間に挿置されている花茎が支持される花支持装置を提供する。
2006525846.tif 000002
【特許請求の範囲】
【請求項１】
多数の回転球が伸縮性を有する連結手段により一列に配列される支持体が上下部に互い違いに配設され、支持体とこれに隣り合う他の支持体との間に挿置されている花茎が支持されることを特徴とする花支持装置。
【請求項２】
多数の回転球が伸縮性を有する連結手段により連結された多数の支持体が互いに平行に枠体に設けられて支持部を形成し、前記支持体の配列が互い違いになるように多数の支持部が支持枠体に内設されることを特徴とする花支持装置。
【請求項３】
前記枠体には、一側に上方から下方側に向かって形成された多数の係止溝が形成され、前記係止溝を内包して枠体の下方に突設される支持棒及び前記支持棒と層をなして係止溝と同径の挿入棒を有する突出棒が係止溝と同一中心線をもって多数形成されていることを特徴とする請求項２に記載の花支持装置。
【請求項４】
内部を貫通する挿通孔が形成された所定形状の支持枠体の外面に沿って多数の回転球が伸縮性を有する連結手段により連接されている支持体を多層に連設して、支持体と隣り合う支持体との間の空間（隙間）及び支持枠体の挿通孔を介して花を挿着することを特徴とする花支持装置。
【請求項５】
前記支持体は、上部に位置する支持体とこれに接触する下部の支持体が互い違いに巻設されていることを特徴とする請求項４に記載の花支持装置。
【請求項６】
伸縮性を有する連結手段により多数の回転球を連結して支持体を形成し、枠体に層をなして多数の支持体が互いに平行に上支持体と下支持体をそれぞれ設けるが、上下支持体が互い違いに設けられている多数の支持部を互いに連結して立体状を呈させることを特徴とする花支持装置。
【請求項７】
前記枠体には、上支持体と下支持体が多数回互い違いに設けられていることを特徴とする請求項６に記載の花支持装置。
【請求項８】
前記花支持装置内には、含水台がさらに設けられることを特徴とする請求項１ないし７のうちいずれか一項に記載の花支持装置。
【請求項９】
前記含水台は、多数の小球状を有する吸収緩衝材よりなることを特徴とする請求項８に記載の花支持装置。
【請求項１０】
前記含水台は、内部に密閉空間を有し、空間内に空気が満たされることを特徴とする請求項８または９に記載の花支持装置。
【請求項１１】
前記花支持装置の回転球の外面には、吸収緩衝材がさらに設けられていることを特徴とする請求項１乃至１０の中からいずれか一項に記載の花支持装置。
【請求項１２】
前記花支持装置の回転球の外面には、フレキシブルで弾力を有する多数の突起がさらに形成されていることを特徴とする請求項１乃至１０の中からいずれか一項に記載の花支持装置。
【請求項１３】
多数の回転球が連結された支持体で結節を連続的に形成して結節支持体を構成し、前記結節支持体を多層に巻設し、結節が有する空間あるいは結節と結節との間の空間（隙間）に花を挿着することを特徴とする花支持装置。
【請求項１４】
前記結節支持体は、多数の回転球を有する支持体で内部に基本空間を限定する緩い基本結節が形成され、前記基本結節の基本空間内に支持体の一側が挿入されて第１の連続空間を有する第１の連続結節が形成され、前記第１の連続空間内に支持体の他側が挿入されて第２の連続空間を有する第２の連続結節（Ｄ−２３）が形成され、これを繰り返し行って多数の連続結節が形成されていることを特徴とする請求項１３に記載の花支持装置。
【発明の詳細な説明】
【技術分野】
【０００１】
本発明は花支持装置に係り、回転する多数の回転球により花茎を支持して別途の固定手段無しに所望の角度から花を挿して支持することのできる花支持装置に関する。
【背景技術】
【０００２】
通常、生け花は、水盤の針板や花かごのフローラルフォーム（別名；オアシス）に各種の形態で花を挿しておくことにより、周りの環境を一層美しく飾るものであり、結婚式、開業式、卒業式、記念式、イベント、パーティなどのお祝いに用いられており、文明の発達に伴い、美的感覚が求められている現代には、花を用途に合わせて美しく演出して花の最終的な消費段階における付加価値を高めることを専門職業とするフロリストが有望職種として脚光を浴びている。
【０００３】
このような消費者のニーズ及び時代性を反映するために、フロリストにより様々な生け花の方式が開発／研究されており、これにより、花の挿し角度を所望の角度に固定できる各種の生け花装置が開発／研究されている。
【発明の開示】
【発明が解決しようとする課題】
【０００４】
しかしながら、従来生け花に用いられていた花茎の固定手段は、単に針板、フローラルフォームに花茎の下端部を挿し、これによる挿し力により花茎の下端だけを固定するようになっており、花茎の下端に異常が生じる場合、花茎の位置を固定することができず、その結果、腕のあるフロリストであっても、所望の美観に仕上げることが困難になるという問題があった。
【０００５】
また、花茎の下端部だけを固定するようになっているため、花茎が長尺である場合、支持力の弱化現象及び風などの外部環境により位置が固定されずに、揺れたり曲がったりする場合があった。
【０００６】
さらに、フローラルフォームの場合、花茎の先端が損傷しないように挿入されるが、針板の場合、花茎の先端が針板に挿されるため、花茎の先端に損傷が与えられ、これにより、花の寿命が短くなるという問題もあった。
【０００７】
さらに、花瓶に花を生けて保管する場合、花瓶には針板やフローラルフォームなどの固定手段がないため、花瓶に挿される花の量が少なくなると、花瓶の開口の周りで花茎の長さに応じて花が勝手に位置するため、所望の美観に仕上げできなくなるという問題があった。
【０００８】
さらに、従来より用いられている生け花装置は、必要な目的に応じて、すなわち、テーブル飾り用生け花、壁飾り用生け花、スタンド花飾り用生け花などのように生産されて使い分けられ、このような生け花には、必要な角度（花の挿し角度）によって多数の孔が形成されるか、単にフローラルフォームなどと同じ素材を所定の形状の枠体内に挿入して花茎の先端だけを固定するようになっていた。すなわち、必要な目的に応じて別途の生け花装置が要されるため、生産コスト及び購買コストが増大され、これにより、経済的な負担が加えられるという問題があった。また、テーブルなど平らな個所に飾る場合、水盤内に設けられる針板に花茎を挿して飾るため、花茎の先端に損傷が与えられ、花の寿命が短縮され、生け花の演出に際し、針板により安全事故が起こる傾向にあった。
【０００９】
また、壁飾りの特性を考慮して内部にフローラルフォームが設けられた一定の形状の枠体を用いる壁飾りの場合、内設されたフローラルフォームに花茎の先端が挿されて支持されるため、花の挿し角度とフローラルフォームと花茎の先端の摩擦力により花が支持され、その結果、支持力が弱まり、外部環境に絶対的に影響され、これにより、美感が消滅されるという問題があった。このような現象を防ぐために、フローラルフォームが内蔵される枠体に多数の孔を形成する場合、前記孔を介して花を挿さなければならないため、所望の美観に仕上げることができず、飾りうる花の量に制限が伴われるなどの問題点があった。
【００１０】
また、スタンド花飾り用の場合、毎回枠体全体を新しく製作する必要があるため、製作に長時間かかり、資源のリサイクルが困難であり、スタンド花の中心部分に、フローラルフォームに花茎が固定される花が位置するため、運搬に注意を払わなければ破損され易く、スタンド花の形状変形などが起こるなど、いろんな問題点があった。
【００１１】
本発明は上記事情に鑑みてなされたものであり、その目的は、花茎を自由に支持して所望の美観への仕上げが可能であり、花茎の損傷を防ぎ、これを通じて寿命を延ばし、花茎の長さとは無関係に花を支持可能な花支持装置を提供するところにある。
【００１２】
本発明の他の目的は、あらゆる方向からの生け花を可能にして全方向に美感を表現することができ、設置場所に制限がない他、所望の角度から花を挿して各種の演出が可能であり、生け花に立体感を与えて深美感を加えられる花支持装置を提供するところにある。
【００１３】
本発明のさらに他の目的は、テーブル、壁面、モビール、スタンド花飾り用として使用可能であり、花の挿し角を調節自在であり、これを通じて美観を極大化させられる花支持装置を提供するところにある。
【００１４】
また、本発明のさらに他の目的は、結節支持体を形成し、結節によりできる空間により花茎を固定するようになっているため、花茎の固定力が高まり、花飾りの効率を長時間保持できる花支持装置を提供するところにある。
【００１５】
また、本発明のさらに他の目的は、水分を含む回転球により花茎の破損が防がれ、花に水分を長時間供給することができ、これを通じて花の寿命を延ばせる花支持装置を提供するところにある。
【課題を解決するための手段】
【００１６】
上記目的を達成するべく、本発明の請求項１に関わる花支持装置は、多数の回転球が伸縮性を有する連結手段により一列に配列される支持体が上下部に互い違いに配設され、支持体とこれに隣り合う他の支持体との間に挿置されている花茎が支持されることを特徴としている。
【００１７】
本発明の請求項２に関わる花支持装置は、多数の回転球が伸縮性を有する連結手段により連結された多数の支持体が互いに平行に枠体に設けられて支持部を形成し、前記支持体の配列が互い違いになるように多数の支持部が支持枠体に内設されることを特徴としている。
【００１８】
本発明の請求項３に関わる花支持装置は、請求項２に記載の花支持装置において、前記枠体には、一側に上方から下方側に向かって形成された多数の係止溝が形成され、前記係止溝を内包して枠体の下方に突設される支持棒及び前記支持棒と層をなして係止溝と同径の挿入棒を有する突出棒が係止溝と同一中心線をもって多数形成されていることを特徴としている。
【００１９】
本発明の請求項４に関わる花支持装置は、内部を貫通する挿通孔が形成された所定形状の支持枠体の外面に沿って多数の回転球が伸縮性を有する連結手段により連接されている支持体を多層に連設して、支持体と隣り合う支持体との間の空間（隙間）及び支持枠体の挿通孔を介して花を挿着することを特徴としている。
【００２０】
本発明の請求項５に関わる花支持装置は、請求項４に記載の花支持装置において、前記支持体は、上部に位置する支持体とこれに接触する下部の支持体が互い違いに巻設されていることを特徴としている。
【００２１】
本発明の請求項６に関わる花支持装置は、伸縮性を有する連結手段により多数の回転球を連結して支持体を形成し、枠体に層をなして多数の支持体が互いに平行に上支持体と下支持体をそれぞれ設けるが、上下支持体が互い違いに設けられている多数の支持部を互いに連結して立体状を呈させることを特徴としている。
【００２２】
本発明の請求項７に関わる花支持装置は、請求項６に記載の花支持装置において、前記枠体には、上支持体と下支持体が多数回互い違いに設けられていることを特徴としている。
【００２３】
本発明の請求項８に関わる花支持装置は、請求項１ないし７のうちいずれか一項に記載の花支持装置において、前記花支持装置内には、含水台がさらに設けられることを特徴としている。
【００２４】
本発明の請求項９に関わる花支持装置は、請求項８に記載の花支持装置において、前記含水台は、多数の小球状を有する吸収緩衝材よりなることを特徴としている。
【００２５】
本発明の請求項１０に関わる花支持装置は、請求項８または９に記載の花支持装置において、前記含水台は、内部に密閉空間を有し、空間内に空気が満たされることを特徴としている。
【００２６】
本発明の請求項１１に関わる花支持装置は、請求項１乃至１０の中からいずれか一項に記載の花支持装置において、前記花支持装置の回転球の外面には、吸収緩衝材がさらに設けられていることを特徴としている。
【００２７】
本発明の請求項１２に関わる花支持装置は、請求項１乃至１０の中からいずれか一項に記載の花支持装置において、前記花支持装置の回転球の外面には、フレキシブルで弾力を有する多数の突起がさらに形成されていることを特徴としている。
【００２８】
本発明の請求項１３に関わる花支持装置は、多数の回転球が連結された支持体で結節を連続的に形成して結節支持体を構成し、前記結節支持体を多層に巻設し、結節が有する空間あるいは結節と結節との間の空間（隙間）に花を挿着することを特徴としている。
【００２９】
本発明の請求項１４に関わる花支持装置は、請求項１３に記載の花支持装置において、前記結節支持体は、多数の回転球を有する支持体で内部に基本空間を限定する緩い基本結節が形成され、前記基本結節の基本空間内に支持体の一側が挿入されて第１の連続空間を有する第１の連続結節が形成され、前記第１の連続空間内に支持体の他側が挿入されて第２の連続空間を有する第２の連続結節（Ｄ−２３）が形成され、これを繰り返し行って多数の連続結節が形成されていることを特徴としている。
【発明を実施するための最良の形態】
【００３０】
図１は、本発明による回転球の全体構成を示す例示図、図２は、本発明による回転球の他の構成を示す例示図、図３は、本発明による回転球のさらに他の構成を示す例示図であり、本発明は、上記のごとき目的を達成するために花茎と接触され、内部に貫通孔を有する多数の回転球１と、前記回転球の貫通孔２内に挿入されて多数の回転球１を連結する連結手段３と、により構成された支持体を互い違いに上下左右に配列し、前記配列された支持体とこれに隣り合う支持体との間の空間に花茎を挿して支持するようになっている。
【００３１】
前記回転球１に形成された貫通孔２は、回転球の球芯を貫通するように形成されており、前記回転球１は、貫通孔２を貫通する連結手段３を中心に回転（自転）する。すなわち、前記貫通孔内に挿通する連結手段の直径は、貫通孔の直径よりも小さく形成されている。
【００３２】
また、前記回転球１の外面には、図２に示すように、フローラルフォーム、スポンジ、不織布、ウレタンフォーム、綿面など、内部に多数の気孔を有して水分を含みうる吸収緩衝材４がさらに設置あるいはコートされている。
【００３３】
さらに、前記回転球１は、図３に示すように、内部に連結手段が貫通する貫通孔２及び空気が満たされる密閉空間５を有するゴムボール型の外面にフローラルフォーム、スポンジ、不織布、ウレタンフォーム、綿面など、多数の気孔を有して水分を含みうる吸収緩衝材４を内設して用いることもできる。
【００３４】
さらに、前記回転球１は、図３０に示すように、外面にフレキシブルで且つ弾力を有する多数の突起６が形成されている。前記突起６は、挿される花茎と接触され、花茎を挿すに際し、回転球及びこれに隣り合う他の回転球間の空間をなくし（回転球と回転球との間の空間に位置し）、花茎の挿入による隙間の拡開現象（花茎の挿入による空間の拡大現象）をなくすようになっている。
【００３５】
さらに、前記連結手段３は伸縮性を有し、繊維、人造繊維、合成樹脂、光繊維、釣り糸など一体に形成されたものであっても良く、リング状の連結環、鎖などの別体型のものであってもよい。
【００３６】
本発明は、上記の如き構成された支持体を使用しようとする支持枠体の形状に合わせて一定の大きさに切断して設けても良く、単一の長い支持体を支持枠体に巻設して用いても良い。
【００３７】
本発明は各種の形態に変更して用いることができ、その変形例の一部を実施の形態に基づき詳述すると、下記の通りである。
【実施例１】
【００３８】
図４は、本発明による実施の形態（実施の形態１）の全体構成を示す例示図、図５は、本発明による図４の内部構成を示す例示図であり、本発明は、内部に多数の回転球Ａ−１１，２１を有する第１及び第２の支持部Ａ−１０，２０と、前記第１及び第２の支持部Ａ−１０，２０が挿入される支持枠体Ａ−３０と、前記第１及び第２の支持部Ａ−１０，２０の下端に位置するように支持枠体Ａ−３０内に位置また設置される含水台Ａ−４０と、を備えている。
【００３９】
前記第１の支持部Ａ−１０は、多数の回転球Ａ−１１と、前記回転球Ａ−１１を連結する、伸縮性を有する連結手段Ａ−１２と、前記連結手段Ａ−１２が固定される枠体Ａ−１３と、を備える。このとき、前記回転球Ａ−１１と連結手段は、図１ないし図３に示す支持体の回転球及び連結手段と同じ構成となっている。すなわち、前記第１の支持部Ａ−１０には、連結手段Ａ−１２により多数の回転球Ａ−１１が一方向に連結されて一つの支持体を形成し、前記一つの支持体が一定の間隔をあけて互いに平行に多数配列されており、前記回転球の貫通孔を経る連結手段Ａ−１２の先端と終端は枠体１３に固定されている。
【００４０】
このとき、前記回転球Ａ−１１は、設けられる花茎Ａ−５１を支持して損傷を与えないように０．３〜２ｃｍの直径を有し、連結手段Ａ−１２により連結される一側の支持体とこれに隣り合う他の支持体は、花茎径の０．５〜１．５倍の間隔をあけて設けられる。
【００４１】
前記第２の支持部Ａ−２０は、第１の支持部Ａ−１０と同じ構成を有するものであり、支持枠体Ａ−３０に内設するとき、第１の支持部Ａ−１０の支持体配列と第２の支持部Ａ−２０の支持体配列が互い違いに、すなわち、平面視で配列が互いに交差するように第１の支持部Ａ−１０の設置方向から９０°回転されて設けられる。
【００４２】
前記支持枠体Ａ−３０は、第１及び第２の支持部Ａ−１０，２０を支持し、内部に含水台Ａ−４０が位置または設置されるものであり、第１及び第２の支持部の枠体Ａ−１３，２３の形状と同じ断面を有し、内面に一定間隔をあけて第１及び第２の支持部Ａ−１０，２０の一側を支持する係合爪Ａ−３１が設けられている。
【００４３】
前記含水台Ａ−４０は、花茎Ａ−５１の下端部が接触されるものであり、フローラルフォーム、スポンジ、綿面など水分を含みうる吸収緩衝材を用い、このような含水台Ａ−４０は、一体に構成されているものを用いても良く、小球状のフローラルフォームボールやスポンジボールが多数集められてなる集合体の形状を呈するものを用いても良い。好ましくは、小球状のフローラルフォームボールやスポンジボールが多数集められてなる集合体状の含水台Ａ−４０を用いる。このとき、前記集合体状の含水台は、小球状のフローラルフォームボールやスポンジボールが離脱しないように網部（図示せず）を有しても良い。  さらに、前記フローラルフォームボールやスポンジボールは、花茎の挿入／固定力及び含水量を考慮して、０．３〜２ｃｍ以内のものを用いることが好ましい。
【００４４】
さらに、前記含水台Ａ−４０は、材質の特性から、相対的に、すなわち、小球状を有するそれぞれの含水台が変形可能になっており、これにより、花茎の挿入が容易になる。
【００４５】
さらに、前記含水台Ａ−４０は、図１３に示すように、内部に空気が満たされる密閉空間Ａ−４１を有するゴムボール型のボールＡ−４３の外面にフローラルフォーム、スポンジ、綿面などの吸収緩衝材Ａ−４２が付着／コートされるボール状に形成可能である。
【００４６】
上記のように構成される本発明の実施の形態１の第１及び第２の支持部Ａ−１０，２０は、図５に示すように、第１の支持部Ａ−１０の支持体配列と第２の支持部Ａ−２０の支持体配列が互い違いに支持枠体Ａ−３０に内設されており、この本発明のものに花Ａ−５０を挿す場合、第１及び第２の支持部Ａ−１０，２０の支持体配列の間に花茎Ａ−５１が挿置され、互い違いに設けられた第１及び第２の支持部Ａ−１０，２０の支持体列により花茎Ａ−５１が支持される。すなわち、第１の支持部Ａ−１０の支持体により花茎の両側が固定され、第２の支持部Ａ−２０の支持体により第１の支持部の支持体に未接触の花茎の他の両側（第１の支持部と接触される部分の９０°回転部位）が接触固定される。このように挿着される花茎は、第１及び第２の支持部Ａ−１０，２０を平面視で観察する場合、第１及び第２の支持部の回転球列により形成される四角空間（隙間）内に挿されて支持される。
【００４７】
また、前記回転球Ａ−１１は、連結手段Ａ−１２を中心に回転自在になっているため、花茎を挿すに際し、花茎と接触される回転球Ａ−１１は花茎の進行方向に合わせて回転（自転）して花茎を容易に挿すことができ、回転球が球状を呈することから、これに接触される花茎に損傷が生じない。
【００４８】
また、本発明の回転球、連結手段、支持枠体、支持部の材質としては、透明材質あるいは適正カラーを有する不透明な材質、金属材質、木材、合成繊維、樹脂など一定の硬度を有する各種の材質を用いることができる。
【実施例２】
【００４９】
図６は、本発明による他の実施の形態（実施の形態２）を示す例示図、図７は、本発明による図６の支持部の構成を示す例示図、図８は、本発明による図６支持部の他の結合状態を示す例示図、そして図９は、本発明による図６の支持部の一側の構成を示す例示図であり、外面がテーパ状を有する支持枠体Ａ−３０ａと、前記支持枠体Ａ−３０ａに内設される含水台Ａ−４０と、前記含水台Ａ−４０の上部に位置するように支持枠体Ａ−３０ａに内設される一体型支持部Ａ−６０と、を備える。
【００５０】
前記一体型支持部Ａ−６０は、連結手段Ａ−１２と回転球Ａ−１１とよりなる多数の支持体が上下部の２列に配列されており、上部の支持体配列と下部の支持体配列は互い違いに配列されている。すなわち、前記一体型支持部Ａ−６０は、第１及び第２の支持部Ａ−１０，２０を一体に形成したものであり、図７に示すように、１枠体Ａ−６３に上下一定の間隔をあけて上下支持体列Ａ−６１，６２が配列されている。
【００５１】
また、前記一体型支持部の枠体Ａ−６３の一側には、支持枠体Ａ−３０ａ内への挿入時における一体型支持部Ａ−６０のひっくり返り現象を防ぐために、弾性材質の固定枠Ａ−６４が多数設けられており、前記固定枠Ａ−６４は、枠体Ａ−６３の一側を取り囲んで下方に一部が延びるように（突設されるように）形成されている。すなわち、前記固定枠Ａ−６４の一側は、枠体Ａ−６３よりも長く、支持枠体Ａ−３０内への挿入時、固定枠Ａ−６４の一側面が支持枠体Ａ−３０の内面の一側に接触されて一体型支持部Ａ−６０を支持する。
【００５２】
また、前記固定枠Ａ−６４は、図９に示すように、枠体Ａ−６３の角部にそれぞれ設けられて支持枠体Ａ−３０内に挿入される支持部Ａ−６０を支持することができ、このように角部に固定枠Ａ−６４が設けられる場合、必ずしもその一部が下方に延びなくても良い。
【００５３】
また、前記一体型支持部Ａ−６０は、図８に示すように、２つの枠体Ａ−６３ａ，６３ｂが互いに結合される構成を有することができ、このような結合構造は、上支持体列が配列されている上枠体Ａ−６３ａと、下支持体列が配列されている下枠体Ａ−６３ｂと、を備える。
【００５４】
前記上枠体Ａ−６３ａの一側端には、上方から下方に向かって形成された係止溝Ａ−６３１ａと、前記係止溝Ａ−６３１ａを内包して枠体Ａ−６３ａの下方に突設される突出棒Ａ−６３２ａと、が形成されており、前記突出棒Ａ−６３２ａは、係止溝Ａ−６３１ａを内包する支持棒Ａ−６３３ａと、前記支持棒Ａ−６３３ａと層をなし（相異なる直径を有し）て下枠体の係止溝Ａ−６３１ｂ内に挿入される挿入棒Ａ−６３４ａと、を備えている。このとき、前記支持棒Ａ−６３３ａは、挿入棒Ａ−６３４ａの直径よりも大径を有し、突出棒Ａ−６３２ａは必ずしも円筒状を呈する必要はなく、四角柱状あるいは多角柱状を有しても良い。また、前記突出棒の挿入棒Ａ−６３４ａの直径と係止溝Ａ−６３１ａの直径は互いに同じである。また、前記上枠体Ａ−６３ａと下枠体Ａ−６３ｂは、突出棒Ａ−６３２ｂに挿入棒があるかどうかだけが異なり、それ以外は同じ構成となっている。
【００５５】
このように構成された実施の形態１の生け花支持装置に花を挿す場合、互い違いに設けられた上支持体列と下支持体列により挿入される花茎の中間部が支持される。
【実施例３】
【００５６】
図１０は、本発明によるさらに他の実施の形態（実施の形態３）を示す例示図、図１１は、図１０の結合状態を示す例示図であり、本発明は、内部に多数の回転球Ａ−１１を有する支持体が設けられた第１ａの支持部Ａ−１０ａと、前記第１ａの支持部Ａ−１０ａと同じ構成を有して第１ａの支持部Ａ−１０ａの下部に結合される第２ａの支持部Ａ−２０ａと、前記第２ａの支持部Ａ−２０ａの下部に結合される主支持枠体Ａ−７０と、前記主支持枠体Ａ−７０に内設されて第２ａの支持部Ａ−２０ａの下部に位置する含水台Ａ−４０と、を備えている。
【００５７】
前記第１ａの支持部Ａ−１０ａは、多数の回転球Ａ−１１及びこれを連結する連結手段Ａ−１２を備える支持体と、前記連結手段Ａ−１２が固定される枠体Ａ−１３ａと、から構成されており、前記回転球Ａ−１１と連結手段Ａ−１２及び枠体Ａ−１３ａは、図４の第１及び第２の支持部Ａ−１０，２０と同じ連結関係をもって構成されている。
【００５８】
前記枠体Ａ−１３ａには、実施の形態２の係止溝Ａ−６３１ａ及び突出棒Ａ−６３２ａと同様に、枠体Ａ−１３ａの一側に上方から下方に向かって形成された係止溝Ａ−１３１ａと、前記係止溝Ａ−１３１ａを内包して枠体Ａ−１３ａの下方に突設される突出棒Ａ−１３２ａが多数形成されており、前記突出棒Ａ−１３２ａは、係止溝Ａ−１３１ａを内包する支持棒Ａ−１３３ａと、前記支持棒Ａ−１３３ａと層をなして（相異なる直径を有して）下部に位置した第２ａの支持部の枠体Ａ−２３ａの係止溝Ａ−２３１ａ内に挿入される挿入棒Ａ−１３４ａと、から構成されている。このとき、前記支持棒Ａ−１３３ａは、挿入棒Ａ−１３４ａの直径よりも大径を有し、突出棒Ａ−１３２ａは必ずしも円筒状を呈する必要はなく、四角柱状あるいは多角柱状を有しても良い。
【００５９】
前記第２ａの支持部Ａ−２０ａは第１ａの支持部Ａ−１０ａと同じ構成を有し、第１ａの支持部Ａ−１０ａとの結合時に第２ａの支持部Ａ−２０ａの回転球の配列が第１ａの支持部の回転球の配列と互い違いになるように９０°回転して係止される。すなわち、前記第１ａの支持部の突出棒Ａ−１３２ａの挿入棒Ａ−１３４ａが第２ａの支持部の係止溝Ａ−２３１ａ内に挿入されて第１ａ及び第２ａの支持部１０ａ，２０ａが結合される。
【００６０】
前記主支持枠体Ａ−７０は、結合された第１ａ及び第２ａの支持部１０ａ，２０ａと係合されてこれを支持するものであり、前記第１ａ及び第２ａの支持部の突出棒Ａ−１３２ａ，２３２ａに対応する係止棒Ａ−７１が形成されており、前記係止棒Ａ−７１には、第１ａ及び第２ａの支持部の係止溝Ａ−１３１ａ，２３１ａと同じ係止溝Ａ−７２が形成されている。また、前記主支持枠体Ａ−７０の中央には、含水台Ａ−４０が挿入される含水台固定枠Ａ−７３が設けられている。
【００６１】
前記含水台Ａ−４０は花茎の下端部が接触されるものであり、フローラルフォーム、スポンジ、綿面などを用い、この含水台は一体型に構成されているものを用いても良く、小球状のフローラルフォームやスポンジが多数集められた集合体状のものを用いても良い。好ましくは、小球状のフローラルフォームボール、スポンジボール、綿面ボールあるいは内部に空気が満たされている外面にフローラルフォームあるいはスポンジなどの吸収緩衝材が取り付けられたボールなどが多数集められた集合体状の含水台を用いた方が良い。このとき、前記集合体状の含水台は、小球状のフローラルフォームボールやスポンジボールが離脱しないように網部を備えても良い。
【００６２】
すなわち、前記主支持枠体Ａ−７０に固定枠Ａ−７３がない場合、網部内にフローラルフォームボールやスポンジボールが設けられた含水台を設けることができ、前記主支持枠体の内に網部無しにフローラルフォームボールやスポンジボールあるいは内部に空気が満たされ、外面がフローラルフォームやスポンジが設けられたボールを充填して用いることができる。
【００６３】
図１２は、本発明による図１０の花の挿し状態を示す例示図であり、支持体の配列が互い違いに上下に設けられた本発明のものを用いて花を挿そうとする場合、一側の支持体と他側の支持体との間に花茎を挿置すると、挿置される花茎は回転球を回転させ、上部の支持体とこれに隣り合う他の支持体との間の空間を経由して下部の支持体列に接触される。このように花茎を下方に移動し続けると、花茎は下部の支持体列を回転させ、下部の支持体とこれに隣り合う支持体との間の空間を経由して含水台固定枠内に位置する含水台にその先端が挿される。
【００６４】
このように挿される花茎は、先端が含水台に挿されて固定され、中間部が互い違いに配列された支持体により固定されて所望のスタイルに応じて花茎を挿すことが可能になる。また、本発明は、必要に応じて、且つ、花茎の長さに応じて第１及び第２の支持部を多数連結して用いることができる。
【００６５】
また、本発明は、互い違いに設けられる第１及び第２の支持部に設けられる回転球列の角度を１０〜９０°範囲内に設けることができ、このように回転球列の角度が１０〜９０°の範囲である場合、２つの支持部ではなく、多数の支持部を連結して花茎の周りに多数の支持体を接触させ、これを介して花を支持することができる。
【００６６】
また、本発明は、内部に空気が満たされ、外面にフローラルフォームやスポンジが設置及びコートされたボールを含水台として用いる場合、含水台固定枠内に水を供給すると、ボールの外面に取り付けられたフローラルフォームあるいはスポンジが水分を含みつつ、浮力によりボールが水面上に浮き上がる。すなわち、前記水面上に浮き上がるボールにより含水台固定枠内に供給された水分の蒸発が防がれ、その結果、花茎に長時間水分を供給することができ、ボールの外面に吸収された水分により茎に水分が同時に供給される。このとき、前記ゴムボール状のボールは供給される水の量とは無関係に、吸収緩衝材に含まれている水分によりボールとボールとの間に挿置される花茎を支持することができる。
【００６７】
また、本発明の含水台は、支持枠体または支持枠体内の含水台固定枠のように一定の空間を有する花瓶などに水を供給する場合、吸収緩衝材により水分を含むことになり、このように水分を含む多数のボールにより挿される花茎が支持され、含水ボールよりなる別途の層が形成されるため、供給されて下部に位置する水の蒸発が防止され、その結果、花茎に水分を長時間供給することができる。
【実施例４】
【００６８】
実施の形態図１４は、本発明による実施の形態４の全体構成を示す例示図、図１５は、本発明による実施の形態４の他の応用状態を示す例示図、図１７は、本発明による実施の形態４の内部構成を示す例示図であり、本発明は、連結手段Ｂ−４０及び多数の回転球Ｂ−１０よりなる支持体が一定の間隔をあけて互いに平行にそれぞれ上下部に設けられている多数の三角支持部Ｂ−５０が互いに連結（あるいは結合）されて三角錐状などの立体形状を呈するように形成されている。このとき、前記支持体は、図１ないし図３に示す支持体と同じ構成を有する。
【００６９】
前記三角支持部Ｂ−５０は、回転球Ｂ−１０が連結手段Ｂ−４０により連結された多数の支持体が互いに平行に、且つ、一定の間隔をあけて三角枠体Ｂ−５１に設けられており、前記三角枠体Ｂ−５１には支持体が２列に設けられている。
【００７０】
このとき、前記三角枠体Ｂ−５１に２列に配設される上下支持体Ｂ−２０，３０は、上部（外側）に位置する上支持体Ｂ−２０と下部（本発明の内側）に位置する下支持体Ｂ−３０の支持体の配列が互い違いになっており、上支持体Ｂ−２０と下支持体Ｂ−３０は９０°をなすように互い違いに設けられることが好ましい。また、本発明は、上下支持体を多数繰り返して設けることができ、繰り返して設けられる上下支持体の数に応じて上部に位置する支持体とその下部に位置する支持体がなす角度を調節して設けることができる。すなわち、上部に位置する支持体と下部に位置する支持体が４５°の角度をなすように互い違いに設ける場合、合計４個の支持体により花茎の８ヶ所が支持される。このように、本発明は、上下支持体を多列に配列する場合、上支持体と下支持体がなす角度を調節して花茎を堅く支持することができる。
【００７１】
また、前記回転球Ｂ−１０は、設けられる花茎を支持して損傷を与えないように０．３〜１．５ｃｍの直径を有し、一側の支持体とこれに隣り合う他側の支持体は、花茎径に対して約０．５〜１．５倍の間隔を保持するように設けられている。
【００７２】
このように構成される本発明の三角支持部は、互いに結合されて三角錐状などの立体状を有し、前記三角支持部の結合は、通常の結合手段、すなわち、突出ブラケットによる挿入結合や、接着剤などによる三角辺の面接触により結合可能である。
【００７３】
このように構成された本発明のものに花を挿す場合、前記三角錐の一側面に挿される花は、茎が長い花である場合、その茎が三角錐の一側面を貫通して内部に挿入された後、その長さに応じて三角錐の他側面を貫通して外部に突出される。このとき、前記回転球を連結する連結手段は伸縮性を有するため、花茎を挿すに際し、伸縮力により花茎が挿入可能なほどの空間が取られ、三角錐の一側面から他側面を貫通するように設けられた花は、その茎が２つの側面により固定されるため、強固に固定される。
【００７４】
また、前記回転球の貫通孔内に連結手段が貫通するようになっているため、回転球は連結手段を中心に回転可能であり、このような回転球は、花茎を挿すに際し、花茎との接触により連結手段を中心に回転する。すなわち、回転球の回転により花茎の挿入時に花茎の挿入が容易であり、花茎の損傷が防がれる。また、前記回転球の外面には気孔を含む吸収緩衝材がさらに設けられており、花茎との接触により吸収緩衝材の気孔内に含まれている水分が花茎に伝わる。
【００７５】
また、茎が短い花を三角錐の一側面に挿す場合、三角錐の一側面をなす三角支持部には支持体が互い違いに２列に設けられているため、２列に設けられた支持体により花茎が固定される。すなわち、互いに平行に設けられた上支持体により花茎の両側が支持され、前記上支持体と９０°をなすように設けられた下支持体により花茎の他の両側面が支持されるため、結局、挿入される花茎の４ヶ所が支持体により支持される。
【００７６】
図１８は、本発明による実施の形態４の含水台を有する内部構成を示す例示図、図１９は、本発明による実施の形態４の他の含水台を有する内部構成を示す例示図であり、本発明の内部に水分を含みうる含水台Ｂ−６０を設けるようになっている。
【００７７】
前記含水台Ｂ−６０は、花茎の下端部あるいは中間部が接触されて花に水分を供給するものであり、小球状のフローラルフォームボールやスポンジボールなど水分を含みうる吸収緩衝材が多数集められた集合体状を呈しており、前記小球状のフローラルフォームボールやスポンジボールが離脱しないように網部（図示せず）を備えても良い。また、前記設けられるフローラルフォームボールやスポンジボールとしては、花茎の挿入／固定力及び含水量を考慮して０．３〜２ｃｍ以内の直径を有するものを用いることが好ましい。
【００７８】
また、前記含水台Ｂ−６０は、図２１に示すように、内部に空気が満たされる密閉空間Ｂ−６１を有し、変形可能なゴムボール型のボールＢ−６３の外面に沿ってスポンジ、ウレタンフォーム、フローラルフォームなどの吸収緩衝材Ｂ−６２が付着あるいはコートされても良い。
【００７９】
図２０は、図１９の使用状態を示す例示図であり、上記のように内部に含水台Ｂ−６０が設けられた本発明のものに花Ｂ−１００を挿そうとする場合、立体状の一側面を介して内部に花茎Ｂ−１１０を挿すと、前記花茎は立体状の一側面の２列に配列された上下支持体を貫通して内部に挿入され、その先端は内部に位置する含水台Ｂ−６０のフローラルフォームボール（あるいはスポンジボール）間の空間に挿置され、長尺の茎の場合、含水台Ｂ−６０を貫通して立体状の他側面に設けられている上下支持体の間に挿置される。このように立体状の一側面、内部の含水台及び立体状の他側面を貫通する花茎は、互い違いに設けられた一側面の上下支持体により固定され、内部のフローラルフォームボール（スポンジボール）により一側が固定され、他側面に設けられた上下支持体により茎の他側が固定される（すなわち、花茎が３重に固定される）。また、短尺の花茎の場合、一側面に互い違いに２列に配列された上下支持体によりその花茎が固定されるか、あるいは、内部に位置する含水台のフローラルフォームボール（あるいはスポンジボール）により２重に固定される。
【００８０】
また、本発明は、図１５に示すように、生け花が設けられる多数の側面は三角支持部を連結して構成し、支持面に接触される底面は４角形状に変形してピラミッド状に変形可能であり、このとき、側面をなす各面はいずれも三角支持部の構成と同じ構成を有するようになっている。
【００８１】
また、本発明は、三角錐、四面体などの立体状だけではなく、本発明の三角支持部を用いて各種の立体状を形成することができ、内部に含水台が設けられていなくても、それ自体を水盤などに供給された水中に入れる場合、花茎に水分が供給される。
【実施例５】
【００８２】
図２２は、本発明による実施の形態５の構成を示す例示図、図２３は、本発明による実施の形態５の設置手順を示す例示図であり、本発明は、中央に挿通孔Ｃ−１１を有する支持枠体Ｃ−１０と、前記支持枠体Ｃ−１０を中心に挿通孔Ｃ−１１が隠れるように巻設される支持体Ｃ−２０と、を備える。
【００８３】
前記支持枠体Ｃ−１０は、生け花の枠体の役割を果たすものであり、図２４に示すように、一定の厚さを有するプレート状の中心部に上部面から下部面を貫通するように、すなわち、支持枠体Ｃ−１０を貫通する挿通孔Ｃ−１１が形成されている。このとき、前記支持枠体Ｃ−１０は、三角、四角、五角など、多角プレート状を呈することができ、形成された挿通孔もまた必ずしも円形を呈する必要はない。また、前記支持枠体Ｃ−１０は、図２５に示すように、挿通孔Ｃ−１１を中心に外側に多数の係合孔Ｃ−１２を形成して用いることができる。また、前記支持枠体Ｃ−１０としては、平面プレート状のものに加えて、内部を貫通する挿通孔を多数有する多面体などの立体状のものを用いることができる。すなわち、内部が開放された多面体などの立体状のものを用いることができる。
【００８４】
前記支持体Ｃ−２０は、花茎Ｃ−３１と接触されて花茎Ｃ−３１を固定する役割を果たすものであり、多数の回転球Ｃ−２１が連結手段により帯状に連結されている。このとき、前記回転球Ｃ−２１は、挿される花茎Ｃ−３１を支持して損傷を与えないように０．３〜１．５ｃｍの直径を有し、前記回転球Ｃ−２１と連結手段は、図１ないし図３に示す支持体の回転球及び連結手段と同じ構成を有する。
【００８５】
前記支持体Ｃ−２０は、図２３に示すように、支持枠体Ｃ−１０を中心に上方から下方、あるいは下方から上方に向かってジグザグ状に巻設され、支持枠体の挿通孔Ｃ−１１が隠れるように支持枠体Ｃ−１０に設けられる。このように挿通孔Ｃ−１１を中心に支持体Ｃ−２０がジグザグ状に互い違いに設けられると、支持枠体Ｃ−１０の中心部分（挿通孔が形成されている部分）が糸束のように丸く形成され、設けられている支持体Ｃ−２０は多数重ね合わせられ、前記重ね合わせられた支持体Ｃ−２０はジグザグ状に巻設されるため、回転球Ｃ−２１を連結する連結手段は多方向に互い違いに設けられることになる。
【００８６】
すなわち、前記互い違いに巻設される支持体Ｃ−２０により連結手段の設置方向も互い違いになり、これにより、回転球Ｃ−２１の設置方向が互いに異なり、隣り合う回転球との間に空間が形成される（前記一つの空間は、多方向の支持体の回転球により形成される）。
【００８７】
図２６は、多数の回転球が連結手段により連結されている支持体が設けられた本発明の実施の形態５の内部構成を示すものであり、挿通孔Ｃ−１１を有する支持枠体Ｃ−１０を中心に支持体Ｃ−２０が互い違いに設けられており、このような支持体Ｃ−２０の設置により無数に多い空間（隙間）が形成される。
【００８８】
図２７は、本発明の実施の形態５の他の内部構成を示す例示図であり、支持枠体の挿通孔Ｃ−１１内に含水台Ｃ−５０を設け、前記含水台Ｃ−５０が内部に位置するように支持体Ｃ−２０を図２３のように巻設したものであり、支持枠体Ｃ−１０の中心部分は挿入される含水台Ｃ−５０により一層丸く形成され、挿入される含水台Ｃ−５０のサイズに応じて支持枠体に巻かれる支持体Ｃ−２０が円形を呈することもある。
【００８９】
前記含水台Ｃ−５０は、花茎の中間部及び下端部が接触されるものであり、小球状のフローラルフォームボールやスポンジボールが多数集められた集合体状のものを用いる。また、前記集合体状の含水台Ｃ−５０は、小球状のフローラルフォームボールやスポンジボールが離脱しないように網部を備えても良い。さらに、前記フローラルフォームボールやスポンジボールとしては、花茎の挿入／固定力及び含水量を考慮して０．３〜２ｃｍ以内のものを用いる。
【００９０】
また、前記含水台は、図２９に示すように、内部に空気が満たされる密閉空間Ｃ−５１を有するゴムボール型のボールＣ−５２の外面に沿ってフローラルフォーム、スポンジなど水分を含みうる吸収緩衝材Ｃ−５３を設けて用いることができる。すなわち、前記ゴムボール型の回転球とゴムボール型の含水台は互いに類似の構成を有し、このような含水台と回転球は、材質の特性に応じて相対的に変形自在であり、これにより、花茎の挿入時における花茎の損傷を防いで水分を容易に供給することができる。
【００９１】
図２８は、本発明の実施の形態５の使用状態を示す例示図であり、支持枠体Ｃ−１０を中心に多数回重ね合わせられるように巻設された支持体Ｃ−２０間の空間（隙間）に花茎Ｃ−３１の先端を挿すと、互い違いに設けられた支持体Ｃ−２０が花茎Ｃ−３１の側面を多角度（花茎の外面に支持体が多方向から接触され）で支持して回転球と回転球との間の空間（隙間）内に挿された花茎Ｃ−３１を固定支持する。
【００９２】
このとき、前記回転球Ｃ−２１は、連結手段を中心に回転可能に設けられているため、花茎Ｃ−３１の挿入に際して花茎との接触により連結手段を中心に回転球Ｃ−２１が回転し、その結果、花茎の移動が容易になる。また、前記連結手段は伸縮性を有しているため、花茎の挿入時に花茎が挿入可能なほどの空間（隙間）が形成される。また、前記回転球Ｃ−２１の外面には、水分を含みうる吸収緩衝材がさらに設けられており、これに接触される花茎に水分を供給するようになっている。
【実施例６】
【００９３】
図３１は、本発明の実施の形態６の結節支持体の形成プロセスを示す例示図、図３２は、本発明の実施の形態６の使用状態を示す例示図であり、本発明は、実施の形態５の他の応用であり、多数の回転球と連結手段よりなる支持体Ｄ−１０を用いて結節支持体を連続的に形成して結節支持体を有する結節支持体を形成し、前記結節支持体を巻いて解かないように固設した後、結節支持体によりできる空間あるいは結節支持体と結節支持体との間の空間（隙間）に花が挿着されるようになっている。
【００９４】
前記支持体Ｄ−１０は、花茎と接触されて花茎を固定する役割を果たすものであり、実施の形態５の支持体と同じ構成を有する。
【００９５】
前記結節支持体Ｄ−１０ａは、回転球と連結手段よりなる支持体Ｄ−１０を用いて結節支持体を形成したものであり、図３１に示すように、支持体Ｄ−１０を用いて内部に空き空間を形成するように基本結節支持体Ｄ−２１を形成し、前記基本結節支持体の内部の空き空間内に支持体の一側を挿通して他の空き空間を有する連続結節Ｄ−２２を形成し、前記連続結節Ｄ−２２の空き空間内に支持体の他側を挿入して空き空間を有する他の連続結節Ｄ−２３を形成する。
【００９６】
すなわち、本発明は、支持体Ｄ−１０により内部に基本空間Ｄ−２１ａを限定する緩い基本結節支持体Ｄ−２１を形成し、前記基本結節支持体Ｄ−２１内の基本空間Ｄ−２１ａ内に支持体の一側を挿入して第１の連続空間Ｄ−２２ａを有する第１の連続結節Ｄ−２２を形成し、前記第１の連続空間Ｄ−２２ａ内に支持体の他側を挿入して第２の連続空間Ｄ−２３ａを有する第２の連続結節Ｄ−２３を形成し、これを繰り返し行って第３，第４，…の連続結節Ｄ−２４，２５，…を形成する。
【００９７】
このようにして結節支持体Ｄ−１０ａが形成されると、前記結節支持体Ｄ−１０ａを連続的に巻いて球、ラグビーボール、六面体など所望の形状に巻設した後、結節支持体の先端をピン、紐、クリップ、テープなどの固定手段により結節支持体Ｄ−１０ａの一側に固定し、巻設された全ての結節支持体Ｄ−１０ａが解かないようにする。
【００９８】
このとき、前記結節支持体は、内部に空き空間が形成されるように支持体を緩く引っ張って形成し、結節支持体Ｄ−１０ａは、互いに解かないようにジグザグ状に、すなわち、互い違いに連続的に巻設する。
【００９９】
このように、結節支持体Ｄ−１０ａがジグザグ状に多数回互い違いに設けられると、互い違いに巻設される結節支持体Ｄ−１０ａにより結節支持体の設置方向が互い違いになるため、設けられる結節支持体Ｄ−１０ａは、多数回重ね合わせられる。このとき、前記重ね合わせられる結節支持体Ｄ−１０ａには、結節支持体が連設されているため、前記結節支持体の内部、結節支持体と結節支持体との間及び、回転球と他の回転球との間に多数の空間が形成され、球状、ラグビーボール状、六面体状などに形成された結節支持体Ｄ−１０ａの全体、すなわち、本発明の花支持装置は、内部に多くの花挿し空間を備えることになる。
【０１００】
また、前記結節支持体は、図３１に示すような基本結節支持体と連続結節よりなる鎖編み型結節支持体に限定されるものではなく、内部に空間を有する他の形状の結節支持体を連設して用いても良い。すなわち、本発明は、各種の形状の結節支持体を形成して用いることができる。
【０１０１】
図３２は、本発明の実施の形態６の使用状態を示す例示図であり、多数の結節支持体が連続的に形成された結節支持体Ｄ−１０ａを互い違いに巻いてその先端が解かないように固定手段により固定すると、巻かれている結節支持体間に空間（Ｄ−結節支持体の内部の空間あるいは回転球と他の回転球との間の空間（隙間））が生成され、このような空間（隙間）に花茎の先端を挿して固定することができる。
【０１０２】
このように空間内に花茎が挿されると、互い違いに設けられた結節支持体が花茎の側面を多角度（花茎の外面に支持体が多方向から接触されて）で支持して空間（隙間）内に挿された花茎を固定支持する。
【０１０３】
このとき、前記支持体の回転球は連結手段を中心に回転可能に設けられているため、花茎の挿入時に花茎との接触により連結手段を中心に回転球が回転され、その結果、花茎の移動が容易になる。また、前記連結手段は伸縮性を有しているため、花茎の挿入時に花茎が挿入可能なほどの空間（隙間）が形成される。また、前記回転球あるいは回転球の外面に設けられた吸収緩衝材には多数の気孔が形成されているため、多量の水分を含むことができ、これを介して接触される花茎に水分を供給する。
【０１０４】
図３３は、本発明の実施の形態６の他の使用状態を示す例示図であり、本発明の結節支持体Ｄ−１０ａは、内部に支持枠体Ｄ−３０を設けて用いることができる。すなわち、結節支持体Ｄ−１０ａは、挿入Ｄ−３１を有する支持枠体Ｄ−３０を中心に上方から下方に向かって、あるいは下方から上方に向かって挿通孔が隠れるようにジグザグ状に巻設されることができ、このように挿通孔を中心に支持体がジグザグ状に互い違いに巻設されると、支持枠体の中心部分（挿通孔が形成されている部分）が糸束のように丸く形成される。このように支持枠体に結節支持体が設けられると、結節支持体、結節支持体と結節支持体との間、回転球と回転球との間に形成される空間を介して花を支持することが可能になる。
【０１０５】
図３４は、本発明の実施の形態６により内部に含水台が設けられた使用状態を示す例示図であり、本発明は、結節支持体Ｄ−１０ａを含水台Ｄ−４０に巻設することができる。すなわち、内部に小球状のフローラルフォームボールやスポンジボールが多数集められた集合体状あるいはフローラルフォームの含水台を中心に結節支持体を巻設することができる。
【０１０６】
このように内部に含水台がさらに設けられる場合、本発明の花支持装置を大型化することができ、花茎の中間部及び下端部が含水台に挿されるため、十分な水分が花に伝わる。また、前記含水台は、支持枠体の挿通孔内に挿設可能である。
【０１０７】
本発明は上述した特定の好適な実施の形態に限定されるものではなく、請求の範囲において請求する本発明の要旨を逸脱しない限り、当該発明が属する技術分野において通常の知識を有する者であれば、誰でも各種の変形実施が可能であり、このような変更は請求範囲に記載の範囲内にある。
【０１０８】
産業上の利用可能性
このように、本発明は、多数の支持体を互い違いに上下配列することにより、花茎を支持可能になっており、花茎の長さとは無関係に花茎を容易に挿すことができ、これにより、自由な表現が可能になる。
【０１０９】
また、前記実施の形態を含む本発明の回転球、連結手段、支持枠体、支持部の材質を透明材質あるいは適切なカラーを有する材質とする場合、本発明を用いた生け花に美しさを加えることができ、少数の花を挿しても、それ自体に美的な感覚が与えられる。
【０１１０】
また、本発明は、花茎と接触される回転球が回転するようになっており、花茎の挿入時に回転球も一緒に回転するため、花茎に損傷が与えられず、これにより、挿される花茎の寿命を延ばして美しさを長時間保持することができる。
【０１１１】
また、本発明は、回転球の外側に気孔を有する吸収緩衝材がさらに設けられているため、気孔内に水分を含むことができ、これを介して接触される花茎に水分を供給することができる。
【０１１２】
また、本発明は、含水台が水分を含みうる小球状に形成されているため、水分が長時間保存及び供給され、特に、内部に空気が満たされるボールの場合、水膜の上に他の膜を形成し、それ自体が水分を含むようになっているため、水分を長時間保存すると共に、茎に水分を供給することができる。
【０１１３】
また、含水台そのものが水分に含ませることができ、花瓶などの別途の枠内に含水台を挿入して水を供給する場合、花瓶内の水の揺れ動きが防がれるため、花瓶から水がこぼれて花瓶の外壁を水が流れるような現象を未然に防止することができるなど、多大な効果がある。
【０１１４】
また、図３０に示すように、外面にフレキシブルで且つ弾力を有する多数の突起が形成された回転球を用いる場合、前記突起により回転球とこれに隣り合う回転球との間の空間が除去され、これにより、花茎を挿すに際し、挿された花への支持力を高めることができる。
【０１１５】
また、図２５に示すように、支持枠体に係合孔を設けることができるため、テーブル飾り用だけではなく、壁掛けに掛止して用いることができ、スタンド花などの中心部に設けられてスタンド花の枠体と一緒に用いることができ、実施の形態５の場合、支持枠体を中心に支持体が設けられるため、一方向だけではなく、両方向から花を挿して用いることができ、モビールなどを支持面のない空間、すなわち、天井から吊り下げることができるなど、各種のインテリアに適用することができ、これにより、新しいフラワーデザインを開発し、深美感を表現することができる。
【０１１６】
また、図３１に示すように、支持体に多数の結節支持体を形成し、前記結節支持体が形成された結節支持体を全方向に亘って互い違いに設けて、内部に多くの空間を確保することができ、この空間を介して一層多くの花を挿すことができ、全方向から花を挿そうとしても、所望の角度内での花固定が可能になる。
【０１１７】
また、本発明は、その構成が簡単であるために生産が容易であり、結節支持体の形成が自由に行われて設置が容易であるほか、コスト節減も図ることができるなど、多大な効果がある。
【図面の簡単な説明】
【０１１８】
【図１】本発明による回転球の全体構成を示す例示図。
【図２】本発明による回転球の他の構成を示す例示図。
【図３】本発明による回転球のさらに他の構成を示す例示図。
【図４】本発明の実施の形態１による回転球の全体構成を示す例示図。
【図５】本発明による図４の内部構成を示す例示図。
【図６】本発明による他の実施の形態（実施の形態２）を示す例示図。
【図７】本発明による図６の支持部の構成を示す例示図。
【図８】本発明による図６支持部の他の結合状態を示す例示図。
【図９】本発明による図６の支持部の一角部の構成を示す例示図。
【図１０】本発明によるさらに他の実施の形態（実施の形態３）を示す例示図。
【図１１】図１０の結合状態を示す例示図。
【図１２】本発明による図１０の花設置状態を示す例示図。
【図１３】本発明による含水台の構成を示す例示図。
【図１４】本発明による実施の形態４の全体構成を示す例示図。
【図１５】本発明による実施の形態４の他の応用状態を示す例示図。
【図１６】本発明の実施の形態４の一側面の支持体の配列状態を示す例示図。
【図１７】本発明の実施の形態４の内部構成を示す例示図。
【図１８】本発明の実施の形態４の含水台を有する内部構成を示す例示図。
【図１９】本発明の実施の形態４の他の含水台を有する内部構成を示す例示図。
【図２０】本発明による図１９の使用状態を示す例示図。
【図２１】本発明の実施の形態４の含水台構成を示す例示図。
【図２２】本発明による実施の形態５の全体構成を示す例示図。
【図２３】本発明の実施の形態５の設置手順を示す例示図。
【図２４】本発明の実施の形態５の支持枠体の構成を示す例示図。
【図２５】本発明の実施の形態５の他の支持枠体の構成を示す例示図。
【図２６】本発明の実施の形態５の内部構成を示す例示図。
【図２７】本発明の実施の形態５の他の内部構成を示す例示図。
【図２８】本発明の実施の形態５の使用状態を示す例示図。
【図２９】本発明の実施の形態５の含水台構成を示す例示図。
【図３０】本発明により突起が形成されている回転球の構成を示す例示図。
【図３１】本発明の実施の形態６による結節支持体の形成プロセスを示す例示図。
【図３２】本発明の実施の形態６の使用状態を示す例示図。
【図３３】本発明の実施の形態６の他の使用状態を示す例示図。
【図３４】本発明の実施の形態６により内部に含水台が設けられた使用状態を示す例示図。
【図１】
2006525846.tif 000003
【図２】
2006525846.tif 000004
【図３】
2006525846.tif 000005
【図４】
2006525846.tif 000006
【図５】
2006525846.tif 000007
【図６】
2006525846.tif 000008
【図７】
2006525846.tif 000009
【図８】
2006525846.tif 000010
【図９】
2006525846.tif 000011
【図１０】
2006525846.tif 000012
【図１１】
2006525846.tif 000013
【図１２】
2006525846.tif 000014
【図１３】
2006525846.tif 000015
【図１４】
2006525846.tif 000016
【図１５】
2006525846.tif 000017
【図１６】
2006525846.tif 000018
【図１７】
2006525846.tif 000019
【図１８】
2006525846.tif 000020
【図１９】
2006525846.tif 000021
【図２０】
2006525846.tif 000022
【図２１】
2006525846.tif 000023
【図２２】
2006525846.tif 000024
【図２３】
2006525846.tif 000025
【図２４】
2006525846.tif 000026
【図２５】
2006525846.tif 000027
【図２６】
2006525846.tif 000028
【図２７】
2006525846.tif 000029
【図２８】
2006525846.tif 000030
【図２９】
2006525846.tif 000031
【図３０】
2006525846.tif 000032
【図３１】
2006525846.tif 000033
【図３２】
2006525846.tif 000034
【図３３】
2006525846.tif 000035
【図３４】
2006525846.tif 000036
【国際調査報告】
2006525846.tif 000037
2006525846.tif 000038